(57)【特許請求の範囲】
【請求項１】
複数の操作端末からの指令に基づいて同一ディスプレイに分割表示された複数のコンテンツの音声を前記複数の操作端末に個別に送信する方法であって、
前記複数の操作端末の一から当該操作端末を識別する端末識別情報と共に、音声情報および画面情報を含むコンテンツを識別するコンテンツ識別情報を受信したことに応じて、当該音声情報を識別する音声用チャネル識別情報および当該画面情報を識別する画面用チャネル識別情報を含み数字により識別されるチャネル識別情報を割り当てて当該端末識別情報に関連付けて記憶するステップと、
受信した前記コンテンツ識別情報に基づいて前記音声情報および前記画面情報を含むコンテンツを受信するステップと、
受信した前記画面情報を前記チャネル識別情報と共に前記同一ディスプレイに表示すると共に、受信した前記音声情報を、受信した前記端末識別情報に基づいて識別した操作端末に送信するステップと、
前記複数の操作端末の一から、前記コンテンツを同時に出力中の他の画面情報を識別する前記チャネル識別情報の指定と共に音声情報の変更出力指令を受信するステップと、
指定された前記チャネル識別情報に関連付けられた前記音声用チャネル識別情報が識別する音声情報を、前記音声情報の変更出力指令を送信した前記操作端末に送信するステップとを含む方法。
【請求項２】
複数の操作端末からの指令に基づいて同一ディスプレイに分割表示された複数のコンテンツの音声を前記複数の操作端末に個別に送信する音声出力装置であって、
前記複数の操作端末の一から当該操作端末を識別する端末識別情報と共に、音声情報および画面情報を含むコンテンツを識別するコンテンツ識別情報を受信したことに応じて、当該音声情報を識別する音声用チャネル識別情報および当該画面情報を識別する画面用チャネル識別情報を含み数字により識別されるチャネル識別情報を割り当てて当該端末識別情報に関連付けて記憶する手段と、
受信した前記コンテンツ識別情報に基づいて前記音声情報および前記画面情報を含むコンテンツを受信する手段と、
受信した前記画面情報を前記チャネル識別情報と共に前記同一ディスプレイに表示すると共に、受信した前記音声情報を、受信した前記端末識別情報に基づいて識別した操作端末に送信する手段と、
前記複数の操作端末の一から、前記コンテンツを同時に出力中の他の画面情報を識別する前記チャネル識別情報の指定と共に音声情報の変更出力指令を受信する手段と、
指定された前記チャネル識別情報に関連付けられた前記音声用チャネル識別情報が識別する音声情報を、前記音声情報の変更出力指令を送信した前記操作端末に送信する手段とを備える音声出力装置。
【請求項３】
複数の操作端末からの指令に基づいて同一ディスプレイに分割表示された複数のコンテンツの音声を前記複数の操作端末に個別に送信する音声出力装置を含むシステムであって、
前記操作端末は、当該操作端末を識別する端末識別情報と共に、音声情報および画面情報を含むコンテンツを識別するコンテンツ識別情報を送信する手段を備え、
前記音声出力装置は、前記複数の操作端末の一から当該操作端末を識別する端末識別情報と共に、音声情報および画面情報を含むコンテンツを識別するコンテンツ識別情報を受信したことに応じて、当該音声情報を識別する音声用チャネル識別情報および当該画面情報を識別する画面用チャネル識別情報を含み数字により識別されるチャネル識別情報を割り当てて当該端末識別情報に関連付けて記憶する手段と、
受信した前記コンテンツ識別情報に基づいて前記音声情報および前記画面情報を含むコンテンツを受信する手段と、
受信した前記画面情報を前記チャネル識別情報と共に前記同一ディスプレイに表示すると共に、受信した前記音声情報を、受信した前記端末識別情報に基づいて識別した操作端末に送信する手段と、を備え、
前記操作端末は、前記コンテンツを同時に出力中の他の画面情報を識別する前記チャネル識別情報の指定を受け付けて、当該指定とともに音声情報の変更出力を前記音声出力装置に送信する手段を更に備え、
前記音声出力装置は、前記複数の操作端末の一から、前記コンテンツを同時に出力中の他の画面情報を識別する前記チャネル識別情報の指定と共に音声情報の変更出力指令を受信する手段と、
指定された前記チャネル識別情報に関連付けられた前記音声用チャネル識別情報が識別する音声情報を、前記音声情報の変更出力指令を送信した前記操作端末に送信する手段とを更に備え、
前記操作端末は、受信した前記音声情報を出力する手段を更に備えるシステム。
【発明の詳細な説明】
【技術分野】
【０００１】
本発明は、音声出力装置に関する。特に、コンテンツの音声を複数の操作端末に個別に送信する音声出力装置、システム、及び方法に関する。
【背景技術】
【０００２】
従来、テレビ受像機の画面やコンピュータシステムの表示装置に用いられる画面は、より詳細な表示を求める使用者の要望により、高解像及び高品質が求められていた。近年、表示画面の製造技術の進歩により、高解像及び高品質の画面が製造されるようになり、更に、高解像及び高品質を保ちながら大きな画面を備えた表示装置が製造されるようになった。
【０００３】
このような、表示装置の画面の大型化を利用して、１画面を有効に活用した画像表示制御システムが知られている（特許文献１）。特許文献１の画像表示制御システムは、複数の携帯電話等からの遠隔操作によってテレビ等の画面上に表示するポインタを表示制御する。更に、遠隔操作する複数の携帯電話に応じて画面を分割し、携帯電話から受信した操作情報に基づいて画面の表示制御を行うことによって、複数の利用者の共同作業やコミュニケーションを行うことができる。
【特許文献１】特開２００６−５８９４６号公報
【発明の開示】
【発明が解決しようとする課題】
【０００４】
しかしながら、特許文献１では、画面を複数の端末で共有し、同時に操作する技術や、画面を分割する技術等について開示されているが、それに伴う音声の制御については開示されていない。すなわち、特許文献１のようなシステムでは、画面を分割し、それぞれの画面で異なる映像を表示することはできても、それに伴う音声を取り扱うことができず、例えば、複数の利用者がＷｅｂ上の動画を再生する場合等、音声を伴うコンテンツに対応することができない。
【０００５】
ところで、映画やテレビ番組のような動画コンテンツに限らず、音声は、映像についての解説や説明をする音声、臨場感をもたらす効果音、雰囲気を醸し出すＢＧＭ等を含み、映像では伝えきれない情報を伝えることができる。このため、音声のない映像のみの提供では情報の伝達が不十分であり、利用者は、映像と音声とが提供されて始めて満足する。そこで、画面を分割して映像を提供する場合に、分割したそれぞれの画面の映像と音声を出力する装置が求められている。
【０００６】
本発明は、複数の利用者がそれぞれ対応する画面を操作することができると共に、当該画面に対応する音声をそれぞれ個別に視聴することができる装置を提供することを目的とする。
【課題を解決するための手段】
【０００７】
本発明では、以下のような解決手段を提供する。
【０００８】
（１）  複数の操作端末からの指令に基づいて同一ディスプレイに分割表示された複数のコンテンツの音声を前記複数の操作端末に個別に送信する方法であって、前記複数の操作端末の一から当該端末を識別する端末識別情報と共に、音声情報を含むコンテンツを識別するコンテンツ識別情報を受信するステップと、受信した前記コンテンツ識別情報に基づいて前記音声情報を含むコンテンツを受信するステップと、受信した前記コンテンツに係る画面を出力すると共に、受信した前記音声情報を、受信した前記端末識別情報に基づいて識別した操作端末に個別のチャネルを割り当てて送信するステップと、を含む方法。
【０００９】
（１）の構成によれば、本発明に係る方法は、複数の操作端末の一から当該端末を識別する端末識別情報と共に、音声情報を含むコンテンツを識別するコンテンツ識別情報を受信し、受信したコンテンツ識別情報に基づいて音声情報を含むコンテンツを受信し、受信したコンテンツに係る画面を出力すると共に、受信した音声情報を、受信した端末識別情報に基づいて識別した操作端末に個別のチャネルを割り当てて送信する。
【００１０】
すなわち、本発明に係る方法は、複数の操作端末の一から受信した情報に基づいてコンテンツを受信し、受信したコンテンツに係る画面を出力すると共に、音声情報を、受信した端末識別情報に基づいて識別した操作端末に送信する。したがって、本発明に係る方法は、操作端末から受信した情報に基づいて受信した音声情報を、利用者が画面に対応する操作端末でそれぞれ個別に視聴することができる。
【００１１】
（２）  前記複数の操作端末の一から、コンテンツを同時に出力中の他のチャネルを識別するチャネル識別情報の指定と共に音声データの出力指令を受信するステップと、指定した前記チャネル識別情報に係る前記音声情報を、前記操作端末の一に送信するステップと、を更に含む（１）に記載の方法。
【００１２】
（２）の構成によれば、（１）に記載の構成に、更に、複数の操作端末の一から、コンテンツを同時に出力中の他のチャネルを識別するチャネル識別情報の指定と共に音声データの出力指令を受信し、指定したチャネル識別情報に係る音声情報を、操作端末の一に送信する。
【００１３】
すなわち、複数の操作端末の一から、指令を受信し、指定したチャネル識別情報に係る音声情報を、指令した操作端末の一に送信する。したがって、本発明に係る方法は、複数の利用者がそれぞれに対応する画面を操作する場合に、音声情報を、画面に対応する操作端末でそれぞれ個別に視聴することができ、更に、音声情報の出力指令をすることにより指令した操作端末で他の画面の音声を聴くこともできる。
【００１４】
（３）  複数の操作端末からの指令に基づいて同一ディスプレイに分割表示された複数のコンテンツの音声を前記複数の操作端末に個別に送信する音声出力装置であって、前記複数の操作端末の一から当該操作端末を識別する端末識別情報と共に、音声情報を含むコンテンツを識別するコンテンツ識別情報を受信する手段と、受信した前記コンテンツ識別情報に基づいて前記音声情報を含むコンテンツを受信する手段と、受信した前記コンテンツに係る画面を出力すると共に、受信した前記音声情報を、受信した前記端末識別情報に基づいて識別した操作端末に個別のチャネルを割り当てて送信する手段と、を含む音声出力装置。
【００１５】
すなわち、本発明に係る音声出力装置は、複数の操作端末の一から受信した情報に基づいてコンテンツを受信し、受信したコンテンツに係る画面を出力すると共に、音声情報を、受信した端末識別情報に基づいて識別した操作端末に送信する。したがって、本発明に係る音声出力装置によれば、操作端末から受信した情報に基づいて受信した音声情報を、利用者が画面に対応する操作端末でそれぞれ個別に視聴することができる。
【００１６】
（４）  複数の操作端末からの指令に基づいて同一ディスプレイに分割表示された複数のコンテンツの音声を前記複数の操作端末に個別に送信する音声出力装置を含むシステムであって、前記操作端末は、当該操作端末を識別する端末識別情報と共に、音声情報を含むコンテンツを識別するコンテンツ識別情報を送信する手段を備え、前記音声出力装置は、前記複数の操作端末の一から当該操作端末を識別する端末識別情報と共に、前記コンテンツ識別情報を受信する手段と、受信した前記コンテンツ識別情報に基づいて前記音声情報を含むコンテンツを受信する手段と、受信した前記コンテンツに係る画面を出力すると共に、受信した前記音声情報を、受信した前記端末識別情報に基づいて識別した操作端末に個別のチャネルを割り当てて送信する手段と、を備え、前記操作端末は、受信した前記音声情報を出力する手段を更に備えるシステム。
【００１７】
すなわち、本発明に係るシステムは、操作端末がコンテンツを識別するコンテンツ識別情報を送信し、音声出力装置が操作端末から受信した情報に基づいてコンテンツを受信し、受信したコンテンツに係る画面を出力すると共に、音声情報を、受信した端末識別情報に基づいて識別した操作端末に送信し、操作端末が受信した音声情報を出力する。したがって、本発明に係るシステムによれば、操作端末から受信した情報に基づいて受信した音声情報を、利用者が画面に対応する操作端末でそれぞれ個別に視聴することができる。
【発明の効果】
【００１８】
本発明によれば、複数の利用者がそれぞれ対応する画面を操作することができると共に、当該画面に対応する音声をそれぞれ個別に視聴することができる。
【発明を実施するための最良の形態】
【００１９】
以下、本発明の実施形態について図を参照しながら説明する。
【００２０】
図１は、本発明の特徴を示す図である。図１は、本発明の一実施形態に係る音声出力装置１０と、複数の操作端末として携帯電話機６０ａ，６０ｂとの動作を機能ブロック図で示し、本発明の特徴を示している。
【００２１】
音声出力装置１０は、携帯電話機６０ａ，６０ｂを識別する携帯電話機ＩＤと共に音声情報を含むコンテンツを識別するコンテンツ識別情報を受信する操作受信部１１と、音声情報を含むコンテンツを受信するコンテンツ受信部１２と、受信したコンテンツに係る画面を出力すると共に、音声情報を携帯電話機６０ａ，６０ｂに個別のチャネルとしてチャネルＩＤを割り当てて送信する画面出力部１３及び音声送信部１４と、を備えている。
【００２２】
コンテンツは、衛星放送、ケーブルテレビ、地上デジタルテレビジョン放送、地上アナログテレビジョン放送等のテレビジョン放送コンテンツ（ＴＶ放送コンテンツ）、インターネットを利用するＷｅｂ上の動画等のＷｅｂコンテンツ等を含む。コンテンツ識別情報は、例えば、ＴＶ放送コンテンツの場合は、テレビ放送局を選局するための放送局番号を示す情報であり、Ｗｅｂコンテンツの場合は、Ｗｅｂコンテンツのネットワーク上のアドレス（例えば、ＵＲＬ（Ｕｎｉｆｏｒｍ  Ｒｅｓｏｕｒｃｅ  Ｌｏｃａｔｏｒ））等を示す情報である。なお、携帯電話機６０ａ、６０ｂは、ディスプレイ２０に表示されたＷｅｂコンテンツのアンカータグ（リンク）をクリックすることにより、コンテンツ識別情報を送信してもよい。
【００２３】
そして、操作受信部１１は、複数の携帯電話機６０ａ，６０からコンテンツ識別情報（例えば、ＷｅｂコンテンツのＵＲＬ等）を取得し、コンテンツ受信部１２は、コンテンツ識別情報（例えば、ＷｅｂコンテンツのＵＲＬ等）に基づいてコンテンツを受信する。画面出力部１３及び音声送信部１４は、受信したコンテンツに係る画面を出力すると共に、音声情報を携帯電話機６０ａ，６０ｂに送信する。
【００２４】
したがって、本発明の一実施形態に係る音声出力装置１０は、コンテンツを受信し、受信したコンテンツに含まれる音声情報をコンテンツに係る画面と対応付けて携帯電話機６０ａ，６０ｂに送信することができる。
【００２５】
図２は、本発明の一実施形態に係る音声出力装置１０の機能を構成する構成部と、構成部が処理するデータとの関連を示す図である。図１で示した本発明の特徴に加えて、設定されている音声データの出力先を変更する音声出力先変更部１５を更に備えている。そして、音声出力装置１０は、携帯電話機６０ａ，６０ｂから受信したコンテンツ識別情報に基づいてコンテンツを受信し、受信した画面データを出力すると共に、受信した音声データを携帯電話機６０ａ，６０ｂに送信する。更に、携帯電話機（例えば、チャネル１である携帯電話機６０ａ）から、音声データの出力指令を受信し、指定されたチャネル（例えば、携帯電話機６０ｂのチャネル２）の音声データを携帯電話機６０ａに送信する。
【００２６】
音声出力装置１０と携帯電話機６０ａ，６０ｂとの通信は無線通信で行う。音声出力装置１０は、無線通信装置として赤外線通信Ｉ／Ｆ１２００を備え、時分割によるリアルタイム処理をする。
【００２７】
携帯電話機６０ａ、６０ｂは、音声出力装置１０との無線通信装置として赤外線通信部６５ａ、６５ｂを備え、音声出力装置として音声出力部６６ａ、６６ｂを備え、音声をイヤホン６７ａ、６７ｂから出力することができる。無線通信は、例えば、赤外線通信としたが、ブルートゥース（登録商標）といった他の短距離無線通信等でもよい。
【００２８】
操作受信部１１は、携帯電話機６０ａ，６０ｂから、携帯電話機ＩＤと共に操作データを受信する。
【００２９】
受信する携帯電話機ＩＤは、例えば、携帯電話番号を用いる。携帯電話機６０ａ，６０ｂの機種、製造メーカに関わらず、携帯電話機６０ａ，６０ｂを操作端末として識別することができる。
【００３０】
操作データは、携帯電話機６０ａ，６０ｂで押下されたキーのデータ等であり、コンテンツ識別情報等である。操作受信部１１は、例えば、ＷｅｂコンテンツのＵＲＬを、コンテンツ識別情報であるデータと、ＷｅｂコンテンツのＵＲＬとを対応付けたテーブル（後述する図６のＵＲＬテーブル参照）に基づいて取得する。また、操作受信部１１は、例えば、ＴＶ放送コンテンツの放送局番号を、押下されたキーのデータから取得する。
【００３１】
操作データがコンテンツ識別情報であって最初の場合には、操作受信部１１は、チャネルＩＤを割り当て、携帯電話機ＩＤと対応付けて記憶する。チャネルＩＤは、例えば、携帯電話機６０ａ，６０ｂから最初にコンテンツ識別情報を受信した順に割り当てた携帯電話機６０ａ，６０ｂに個別のチャネルであり、音声用チャネルＩＤと画面用チャネルＩＤとがある（後述する図７の出力チャネルテーブル参照）。
【００３２】
コンテンツ受信部１２は、操作受信部１１が取得したコンテンツ識別情報（例えば、ＷｅｂコンテンツのＵＲＬ、ＴＶ放送コンテンツの放送局番号等）に基づいてコンテンツを受信する。受信したコンテンツは、例えば、Ｗｅｂコンテンツの場合は、動画情報、テキスト情報、音声情報等と、Ｗｅｂコンテンツを再生するための制御情報等から構成されている。これらの情報に基づいて、画面データ及び音声データ等を取得し、記憶する。また、例えば、ＴＶ放送コンテンツの場合は、チューナ８０で電波（無線、ＣＡＴＶ等）を受信し、デジタルコンテンツに変換したデータをコンテンツ受信部１２は取得し、取得したデータに基づき画面データ及び音声データ等を取得し、記憶する。
【００３３】
画面出力部１３は、コンテンツ受信部１２が記憶した画面データを、携帯電話機ＩＤに対応付けられたチャネルＩＤと共に出力する。出力された画面データを入力したディスプレイ２０は、入力した画面データと、チャネルＩＤとに基づいて分割した画面に表示することができる。ここで、ディスプレイ２０は、ブラウン管表示装置（ＣＲＴ）、液晶表示装置（ＬＣＤ）等のディスプレイ装置でよい。また、音声出力装置１０に接続され、画面出力部１３からのデータに基づいて表示する装置であってもよいし、画面出力部１３からのデータを処理するパソコン等に備えられる装置であってもよい。
【００３４】
音声送信部１４は、コンテンツ受信部１２が記憶した音声データを、携帯電話機ＩＤに基づいてチャネルＩＤを割り当てて送信する。すなわち、取得したコンテンツの音声データに基づいて、コンテンツに対応する携帯電話機ＩＤに対応付けられたチャネルＩＤにより送信データを作成し、赤外線通信により送信する。携帯電話機６０ａ，６０ｂは、赤外線通信部６５ａ，６５ｂを介して受信したデータの中から当該チャネルの音声データを取得し、取得した音声データに基づいて音声をイヤホン６７ａ，６７ｂに出力する。
【００３５】
音声出力先変更部１５は、他のチャネルを識別するチャネル識別情報の指定と共に音声データの出力指令を受信する。例えば、音声用チャネルＩＤがチャネル１を割り当てられた携帯電話機６０ａから、チャネル２と音声出力指令とを受信すると、出力チャネルテーブルの携帯電話機６０ａに対応付けられた音声用チャネルＩＤをチャネル１からチャネル２に変更する。音声送信部１４は、出力チャネルテーブルに基づいて、携帯電話機６０ａに、チャネル２の音声情報を送信する。
【００３６】
図３は、本発明の一実施形態に係る音声出力装置１０の動作環境を示す図である。本発明の一実施例である音声出力装置１０が、コンピュータネットワーク７０（インターネット、ＬＡＮ、ＷＡＮ等）や、放送局９０から放送を受信するチューナ８０を介してコンテンツを受信する例を示している。
【００３７】
音声出力装置１０は、複数の携帯電話機６０ａ，６０ｂ，６０ｃ，６０ｄから携帯電話機６０ａ，６０ｂ，６０ｃ，６０ｄを識別する携帯電話機端末ＩＤと共にコンテンツ識別情報を受信する。そして、コンテンツ識別情報（例えば、ＷｅｂコンテンツのＵＲＬ等）によりネットワーク通信Ｉ／Ｆ１０４０を介してコンピュータネットワーク７０と接続し、コンテンツを管理しているサーバからコンテンツを受信する。同様にして、コンテンツ識別情報（例えば、ＴＶ放送の放送局番号等）により受信した電波からデジタルコンテンツに変換したデータを第２通信Ｉ／Ｆ１０９０を介して受信する。
【００３８】
音声出力装置１０は、受信したコンテンツに基づいて画面データを第１通信Ｉ／Ｆ１０８０を介して出力する。出力した画面データは、ディスプレイ２０の分割された画面に表示される。
【００３９】
音声出力装置１０は、受信したコンテンツに基づいて音声データを赤外線通信Ｉ／Ｆ１２００を介して携帯電話機６０ａ，６０ｂ，６０ｃ，６０ｄに送信する。携帯電話機６０ａ，６０ｂ，６０ｃ，６０ｄは、赤外線通信部６５ａ，６５ｂ，６５ｃ，６５ｄを介して音声データを受信し、音声出力部６６ａ，６６ｂ，６６ｃ，６６ｄを介して音声をイヤホン６７ａ，６７ｂ，６７ｃ，６７ｄに出力する。このようにして画面及び音声をそれぞれ個別に視聴することができる。また、携帯電話機６０ａ，６０ｂ，６０ｃ，６０ｄは、指令することにより、音声出力装置１０から受信する音声データを、別の携帯電話機６０ａ，６０ｂ，６０ｃ，６０ｄに出力中の音声データに変更することができる。例えば、携帯電話機６０ａで携帯電話機６０ｄに出力中の音声を聴くことができる。
【００４０】
図４は、本発明の一実施形態に係る音声出力装置１０のハードウェア構成の一例を示す図である。音声出力装置１０は、ＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２等複数のＣＰＵが追加されてもよい）、バスライン１００５、コンピュータネットワーク用通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ハードディスク１０７０、第１通信Ｉ／Ｆ１０８０、第２通信Ｉ／Ｆ１０９０、赤外線通信Ｉ／Ｆ１２００を備えている。
【００４１】
ＢＩＯＳ１０６０は、音声出力装置１０の起動時にＣＰＵ１０１０が実行するブートプログラムや、ハードウェアに依存するプログラム等を格納する。
【００４２】
ハードディスク１０７０は、音声出力装置１０が機能するための各種プログラム及び本発明の機能を実行するプログラムを記憶している。更に、ＵＲＬテーブル（後述する図６）、出力チャネルテーブル（後述する図７）等の各種データ用のテーブルを構成可能である。
【００４３】
また、コンピュータネットワーク用通信Ｉ／Ｆ１０４０は、ＣＰＵ１０１０を専用ネットワーク又は公共ネットワークを介してＷｅｂコンテンツ用サーバ等と接続できるようにするためのネットワーク・アダプタである。すなわち、ＣＰＵ１０１０は、コンピュータネットワーク用通信Ｉ／Ｆ１０４０を介して、Ｗｅｂコンテンツを受信する。第２通信Ｉ／Ｆ１０９０は、他の装置とデータを送受信するためのインターフェース装置である。ＴＶ放送コンテンツに係る電波をデジタルコンテンツに変換したデータを受信する。
【００４４】
第１通信Ｉ／Ｆ１０８０は、他の装置とデータを送受信するためのインターフェース装置である。コンテンツの動画等を表示することができるディスプレイ２０に接続することができる。すなわち、ＣＰＵ１０１０は、ネットワーク通信Ｉ／Ｆ１０４０又は第２通信Ｉ／Ｆ１０９０を介して受信したコンテンツに係る画面を第１通信Ｉ／Ｆ１０８０を介して、ディスプレイ２０に出力する。
【００４５】
赤外線通信Ｉ／Ｆ１２００は、赤外線によりデータの送信を行う赤外線発光部１２０１と、赤外線によりデータの受信を行う赤外線受光部１２０２とからなる。赤外線発光部１２０１は、ＣＰＵ１０１０が出力したデジタル信号をレベル変換し、変換した信号を変調し、変調した電気信号を赤外線発光素子により赤外線信号に変換し、出力する。赤外線受光部１２０２は、赤外線受光素子により受信した赤外線信号を電気信号に変換し、変換した電気信号をデジタル信号に変換する。ここでは赤外線通信を使用し、赤外線通信Ｉ／Ｆ１２００を備える例を示しているが、例えば、ブルートゥース（登録商標）といった短距離無線通信等のＩ／Ｆを備えるとしてもよい。
【００４６】
図５は、本発明の一実施形態係る携帯電話機６０ａのハードウェア構成の一例を示す図である。図５に示すように、ＣＰＵ（Ｃｅｎｔｒａｌ  Ｐｒｏｃｅｓｓｉｎｇ  Ｕｎｉｔ）２０１１、メモリ２０１２、操作部２０１３、表示部５２ａ、通信部５１ａ、音声出力部６６ａ、マイク２０１８、インターフェース部２０１９、赤外線通信部６５ａがバスラインＢＵＳにより接続されて携帯電話機６０ａを構成する。
【００４７】
ＣＰＵ２０１１は、携帯電話機６０ａを統括的に制御する部分であり、メモリ２０１２に記憶された各種プログラムを適宜読み出して実行することにより、上述したハードウェアと協働し、本発明に係る各種機能を実現している。
【００４８】
メモリ２０１２は、ＲＯＭ（Ｒｅａｄ  Ｏｎｌｙ  Ｍｅｍｏｒｙ）又は、ＲＡＭ（Ｒａｎｄｏｍ  Ａｃｃｅｓｓ  Ｍｅｍｏｒｙ）であってよく、携帯電話機６０ａで機能する各種プログラム及び、広告データを含む各種データを記憶する装置である。
【００４９】
操作部２０１３は、各種設定や入力操作を行う操作ボタン群、決定操作ボタン等を備えており、操作部２０１３による入力情報はＣＰＵ２０１１の制御下で処理される。ここで、操作部２０１３は、ユーザからの操作入力による押圧を感知して、ＣＰＵ２０１１にＢＵＳを介して信号を送信する。ＣＰＵ２０１１は、この信号を受信することで、操作部２０１３への操作入力があったことを判断する。更に、操作部２０１３は、携帯電話機６０ａが折り畳み式の場合には、折り畳み状態から開く操作をユーザが行った場合に、この「開く」操作を検知するデバイスを含む。
【００５０】
表示部５２ａは、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種データを表示する。
【００５１】
通信部５１ａは、携帯電話として機能するために無線通信に必要なアンテナ及びアンテナ信号処理回路等を含んで構成される。インターフェース部２０１９は、携帯電話機６０ａと周辺機器とを接続し、データの送受信や電源供給等を行う。
【００５２】
音声出力部６６ａは、電気信号を音声に変換し、スピーカ２０１７又はイヤホン６７ａから出力する。すなわち、ＣＰＵ２０１１は、赤外線通信部６５ａにより受信した音声情報を再生し、再生した音声を音声出力部６６ａから出力する。マイク２０１８は、音声を電気信号に変換し、入力する。
【００５３】
赤外線通信部６５ａは、赤外線によりデータの送信を行う赤外線発光部２２０１と、赤外線によりデータの受信を行う赤外線受光部２２０２とからなる。赤外線発光部２２０１は、ＣＰＵ２０１１が出力したデジタル信号をレベル変換し、変換した信号を変調し、変調した電気信号を赤外線発光素子により赤外線信号に変換し、出力する。赤外線受光部２２０２は、赤外線受光素子により受信した赤外線信号を電気信号に変換し、変換した電気信号をデジタル信号に変換する。ここでは赤外線通信を使用し、赤外線通信部６５ａを備える例を示しているが、例えば、ブルートゥース（登録商標）といった短距離無線通信等他の方法でもよい。このような赤外線通信部６５ａは、携帯電話機６０ａにもともと内蔵されているものでも、携帯電話機６０ａ購入後、当該携帯電話機６０ａのインターフェース部２０１９に装着されるものでもよい。
【００５４】
図６は、本発明の一実施形態に係るＵＲＬテーブルを示す図である。ＵＲＬテーブルは、ＷｅｂコンテンツのＵＲＬを取得するときに操作受信部１１等で参照される。
【００５５】
ＵＲＬテーブルは、番号に対応付けて、ＷｅｂコンテンツのＵＲＬを記憶している。番号は、例えば、ＵＲＬを選択した番号等であり、ＵＲＬに係る情報である。ＵＲＬテーブルは、所定のサーバから予めダウンロード等により記憶している。音声出力装置１０は、利用者からの携帯電話機６０ａ，６０ｂ，６０ｃ，６０ｄの操作により、ＵＲＬテーブルの内容をディスプレイ２０に表示させ、表示されたＵＲＬの中から利用者が選択し、選択した情報（例えば、選択した番号等）を受信することにより、受信したＵＲＬに係る情報に対応付けられたＵＲＬを取得することができる。
【００５６】
図７は、本発明の一実施形態に係る出力チャネルテーブルを示す図である。出力チャネルテーブルは、画面データ及び音声データを出力するときに画面出力部１３、音声送信部１４等で参照される。
【００５７】
出力チャネルテーブルは、携帯電話機ＩＤに対応付けて、音声用チャネルＩＤと、画面用チャネルＩＤとコンテンツ情報とを記憶している。チャネルＩＤは、携帯電話機６０ａ，６０ｂ，６０ｃ，６０ｄから携帯電話機ＩＤを最初に受信した時に音声用チャネルＩＤ及び画面用チャネルＩＤが割り当てられ、携帯電話機ＩＤに対応付けて出力チャネルテーブルに記憶される。音声送信時は、受信した携帯電話機ＩＤに対応付けられた音声用チャネルＩＤを割り当てて音声情報を送信する。画面出力時は、受信した携帯電話機ＩＤに対応付けられた画面用チャネルＩＤと、画面データとを出力する。また、コンテンツ情報は、コンテンツ受信時に、取得したコンテンツに対応するチャネルＩＤを求めるために利用される。
【００５８】
図８、９及び１０は、本発明の一実施形態に係る音声出力装置１０の処理内容を示すフローチャートである。コンピュータネットワーク７０を介してＷｅｂコンテンツを受信する場合を示している。なお、図８、９及び１０に係る処理は、音声出力装置１０の動作を管理するＯＳ（Ｏｐｅｒａｔｉｎｇ  Ｓｙｓｔｅｍ）のマルチタスク機能の下で並行して動作する。
【００５９】
図８は、本発明の一実施形態に係る音声出力装置１０の受信データ処理を示すフローチャートである。受信データ処理は、携帯電話機６０ａ，６０ｂからデータを受信すると開始し、処理を行った後に終了する。
【００６０】
ステップＳ１０１において、ＣＰＵ１０１０は、携帯電話機６０ａ，６０ｂから受信したデータを取得する。より具体的には、ＣＰＵ１０１０は、携帯電話機６０ａ，６０ｂから受信した携帯電話機ＩＤと共に操作データを取得する。操作データは、操作（コンテンツを取得する指令、音声出力先を変更する指令等）の種別と、データ（例えば、ＷｅｂコンテンツのＵＲＬを示すデータ、出力先のチャネルを示すデータ等）とから構成されている。その後、処理をステップＳ１０２に移す。
【００６１】
ステップＳ１０２において、ＣＰＵ１０１０は、取得したデータがコンテンツ要求か否かを判断する。より具体的には、ＣＰＵ１０１０は、取得したデータが携帯電話機ＩＤと、Ｗｅｂコンテンツを取得する指令と、ＷｅｂコンテンツのＵＲＬに係るデータとから構成されるデータか否かを判断する。この判断がＹＥＳの場合は、処理をステップＳ１０３に移し、ＮＯの場合は処理をステップＳ１０７に移す。
【００６２】
ステップＳ１０３において、ＣＰＵ１０１０は、最初か否かを判断する。より具体的には、ＣＰＵ１０１０は、取得した携帯電話機ＩＤに基づいて出力チャネルテーブルを検索し、携帯電話機ＩＤを記憶しているか否かを判断する。携帯電話機ＩＤを記憶している場合は、最初ではないと判断し処理をステップＳ１０５に移し、携帯電話機ＩＤを記憶していない場合は最初であると判断し処理をステップＳ１０４に移す。
【００６３】
ステップＳ１０４において、ＣＰＵ１０１０は、取得した携帯電話機ＩＤと、割り当てたチャネルＩＤとを対応付けて出力チャネルテーブルに記憶する。より具体的には、ＣＰＵ１０１０は、順に割り当てているチャネルＩＤの次のチャネルＩＤを割り当てる。例えば、チャネルＩＤとして、チャネル１とチャネル２とを割り当てている場合には、チャネル３を割り当てる。そして、音声出力テーブルの携帯電話機ＩＤに対応付けて、音声用チャネルＩＤと画面用チャネルＩＤとに記憶し、記憶した音声用チャネルＩＤを携帯電話機ＩＤと共に携帯電話機６０ａ，６０ｂに送信する。その後、処理をステップＳ１０５に移す。音声用チャネルＩＤを携帯電話機ＩＤと共に受信した携帯電話機６０ａ，６０ｂは、携帯電話機ＩＤに基づいて自己の音声用チャネルＩＤを記憶する。携帯電話機６０ａ，６０ｂは、音声データを受信する場合にこの記憶した音声用チャネルＩＤを用いて音声データを取得する。
【００６４】
ステップＳ１０５において、ＣＰＵ１０１０は、取得したＵＲＬに係るデータに対応付けられたＷｅｂコンテンツのＵＲＬを取得する。より具体的には、ＣＰＵ１０１０は、取得したＵＲＬに係るデータに基づいて、ＵＲＬテーブルを検索し、検索したＵＲＬに係るデータに対応付けられたＷｅｂコンテンツのＵＲＬを取得する。ＵＲＬテーブルは、適宜、携帯電話機６０ａ，６０ｂからの操作により利用者のために表示することができ、表示された中から利用者が選択できる。また、ＵＲＬテーブルは、随時、コンピュータネットワーク７０からダウンロードできる。取得したＵＲＬは、携帯電話機ＩＤと対応付けて出力チャネルテーブルのコンテンツ情報に記憶する。その後、処理をステップＳ１０６に移す。
【００６５】
ステップＳ１０６において、ＣＰＵ１０１０は、Ｗｅｂコンテンツを要求する。より具体的には、ＣＰＵ１０１０は、取得したＷｅｂコンテンツのＵＲＬに基づいて、Ｗｅｂコンテンツを取得するためのコマンドを作成し、Ｗｅｂコンテンツを管理するサーバにコンピュータネットワーク７０を介して送信する。その後、ＣＰＵ１０１０は、処理を終了する。Ｗｅｂコンテンツの取得はコンテンツ処理で行う。
【００６６】
ステップＳ１０７において、ＣＰＵ１０１０は、取得したデータが音声出力先を変更するデータか否かを判断する。この判断がＹＥＳの場合は、処理をステップＳ１０８に移し、ＮＯの場合は処理を終了する。
【００６７】
ステップＳ１０８において、ＣＰＵ１０１０は、取得した操作データに基づいて、出力チャネルテーブルの音声用チャネルＩＤを変更する。より具体的には、ＣＰＵ１０１０は、携帯電話機ＩＤに基づいて、出力チャネルテーブルを検索し、検索した携帯電話機ＩＤに対応する音声用チャネルＩＤを、受信した音声用チャネルＩＤに変更して記憶する。その後、ＣＰＵ１０１０は、処理を終了する。
【００６８】
図９は、本発明の一実施形態に係る音声出力装置１０のコンテンツ処理を示すフローチャートである。コンテンツ処理は、Ｗｅｂコンテンツを受信すると開始し、処理を行った後に終了する。
【００６９】
ステップＳ２０１において、ＣＰＵ１０１０は、コンピュータネットワーク７０から受信したＷｅｂコンテンツを取得する。その後、処理をステップＳ２０２に移す。
【００７０】
ステップＳ２０２において、ＣＰＵ１０１０は、取得したＷｅｂコンテンツの中から画面データ及び音声データを取得する。より具体的には、ＣＰＵ１０１０は、取得したＷｅｂコンテンツの中からデータを復元し、音声データ、画面データ及び制御情報等を取得する。制御情報に、音声データと画面データとの同期を取るための時間情報等が含まれている場合には、その時間情報に基づいて音声データと画面データとをスケジュールしてもよい。その後、処理をステップＳ２０３に移す。
【００７１】
ステップＳ２０３において、ＣＰＵ１０１０は、取得した音声データと、画面データとを記憶する。より具体的には、ＣＰＵ１０１０は、出力チャネルテーブルに基づいて、取得したＷｅｂコンテンツのＵＲＬにより、音声用チャネルＩＤ及び画面用チャネルＩＤを取得する。そして、ＣＰＵ１０１０は、取得した音声用チャネルＩＤ及び画面用チャネルＩＤに基づいて音声データと、画面データとを記憶する。音声データと画面データとをスケジュールした場合には、ＣＰＵ１０１０は、スケジュールした画面データと音声データを、出力する時間ごとに記憶する。その後、ＣＰＵ１０１０は、処理を終了する。
【００７２】
図１０は、本発明の一実施形態に係る音声出力装置１０の出力制御処理を示すフローチャートである。出力制御処理は、一定時間ごとに定期的に処理を開始し、処理を行った後に終了する。
【００７３】
ステップＳ３０１において、ＣＰＵ１０１０は、出力すべき画面データがあるか否かを判断する。スケジュールしたデータを処理する場合には、ＣＰＵ１０１０は、スケジュールされ出力する時間ごとに記憶された画面データに基づいて、出力する時間になった画面データがあるか否かを判断する。この判断がＹＥＳの場合は、処理をステップＳ３０２に移し、ＮＯの場合は処理をステップＳ３０３に移す。
【００７４】
ステップＳ３０２において、ＣＰＵ１０１０は、画面データを、出力チャネルテーブルの画面用チャネルＩＤと共に出力する。スケジュールしたデータを処理する場合には、ＣＰＵ１０１０は、出力する時間になった画面データを、出力チャネルテーブルの画面用チャネルＩＤと共に出力する。その後、処理をステップＳ３０３に移す。出力されたディスプレイ２０は、例えば、画面用チャネルＩＤに基づいて画面を分割し、画面データを表示する。
【００７５】
ステップＳ３０３において、ＣＰＵ１０１０は、送信すべき音声データがあるか否かを判断する。スケジュールしたデータを処理する場合には、ＣＰＵ１０１０は、スケジュールされ出力する時間ごとに記憶された音声データに基づいて、出力する時間になった音声データがあるか否かを判断する。この判断がＹＥＳの場合は、処理をステップＳ３０４に移し、ＮＯの場合は処理を終了する。
【００７６】
ステップＳ３０４において、ＣＰＵ１０１０は、携帯電話機６０ａ，６０ｂに音声データを送信する。より具体的には、ＣＰＵ１０１０は、出力チャネルテーブルの音声用チャネルＩＤを割り当てて、赤外線通信部６５ａを介して携帯電話機６０ａ，６０ｂに送信する。スケジュールしたデータを処理する場合には、ＣＰＵ１０１０は、出力する時間になった音声データを送信する。その後、ＣＰＵ１０１０は、処理を終了する。音声データを送信された携帯電話機６０ａ，６０ｂは、赤外線通信部６５ａを介して受信し、記憶した音声用チャネルＩＤに基づいて、音声データを取得し、音声出力部６６ａを介してイヤホン６７ａに音声を出力する。
【００７７】
図１１は、本発明の一実施形態に係る音声出力装置１０による音声の出力と、画面の出力との例を示す図である。図１１の例は、携帯電話機６０ａ，６０ｂ，６０ｃ，６０ｄが指定したコンテンツを、音声出力装置１０を介して画面及び音声を視聴していることを示す例である。
【００７８】
音声出力装置１０の赤外線通信Ｉ／Ｆ１２００は、携帯電話機６０ａ，６０ｂ，６０ｃ，６０ｄから、操作データを受信し、受信した操作データに対応するコンテンツを受信し、受信したコンテンツに係る画面をディスプレイ２０に出力すると共に、受信した音声データを携帯電話機６０ａ，６０ｂ，６０ｃ，６０ｄにチャネルＩＤを割り当てて送信している。携帯電話機６０ａ，６０ｂ，６０ｃ，６０ｄは、赤外線通信部６５ａ，６５ｂ，６５ｃ，６５ｄを介して音声データを受信し、受信した音声データを音声出力部６６ａ，６６ｂ，６６ｃ，６６ｄを介してイヤホン６７ａ，６７ｂ，６７ｃ，６７ｄに出力している。
【００７９】
例えば、チャネルＩＤは、操作をした順に、携帯電話機６０ａにチャネル１が割り当てられ、携帯電話機６０ｂにチャネル２が割り当てられ、携帯電話機６０ｃにチャネル３が割り当てられ、携帯電話機６０ｄにチャネル４が割り当てられている。
【００８０】
一方、ディスプレイ２０は、出力された画面を、画面と共に受信したチャネル情報に基づいて、画面を分割して表示している。例えば、ディスプレイ２０は、画面と共に出力された携帯電話機６０ａ，６０ｂ，６０ｃ，６０ｄに対応するチャネルＩＤに基づいて、ディスプレイ２０の画面を分割し、入力した画面を表示し、表示した画面の左上にそれぞれのチャネルＩＤ（例えば、１ｃｈ〜４ｃｈ）を表示している。
【００８１】
利用者は、携帯電話機６０ａ，６０ｂ，６０ｃ，６０ｄを操作することにより、対応するディスプレイ２０の画面を操作することができ、画面に対応する音声をそれぞれ個別に視聴することができる。
【００８２】
更に、図１２は、本発明の一実施形態に係る音声出力装置１０による音声の出力と、画面の出力との別の例を示す図である。図１２の例は、携帯電話機６０ａ，６０ｂ，６０ｃ，６０ｄが指定したコンテンツを、音声出力装置１０を介して画面及び音声を視聴し、携帯電話機６０ｂは、後述する処理により、チャネル２に替えてチャネル３の音声を聴いている状態を示す例である。以下にその処理の一例を示す。
【００８３】
まず、図１１に示すように、音声出力装置１０は、携帯電話機６０ａ，６０ｂ，６０ｃ，６０ｄに対応するコンテンツを受信し、受信したコンテンツに係る画面をディスプレイ２０に出力すると共に、受信した音声情報を携帯電話機６０ａ，６０ｂ，６０ｃ，６０ｄにチャネルＩＤを割り当てて送信している。例えば、携帯電話機６０ａにチャネル１を割り当ててコンサートの音声を出力し、携帯電話機６０ｂにチャネル２を割り当てて囲碁の実況音声を出力し、携帯電話機６０ｃにチャネル３を割り当ててサッカーの実況音声を出力し、携帯電話機６０ｄにチャネル４を割り当てて映画の音声を出力していることを示している。一方、図１２は、音声出力装置１０が、例えば、チャネル２が割り当てられた携帯電話機６０ｂから、チャネル３の音声情報の指定を受信したことに応じて、指定した携帯電話機６０ｂに割り当てられたチャネル２をチャネル３の音声に替えて送信し、チャネル２の囲碁の実況音声に替えてチャネル３のサッカーの実況音声を出力していることを示している。このようにして、携帯電話機６０ｂのユーザは、普段は携帯電話機６０ｃのユーザとは別のチャネルの音声を聴取しつつ、必要に応じて同時に出力中の他のチャネルの音声に切り替えて聴取することによって、他のユーザと音声を共有して聴取し、コミュニケーションを深めることができる。
【００８４】
本実施例によれば、音声出力装置１０は、複数の携帯電話機６０ａ，６０ｂ，６０ｃ，６０ｄの一から携帯電話機ＩＤと共に音声情報を含むコンテンツを識別するコンテンツ識別情報を受信し、受信したコンテンツ識別情報に基づいて音声情報を含むコンテンツを受信し、受信したコンテンツに係る画面をディスプレイ２０に出力すると共に、受信した音声情報を、受信した携帯電話機ＩＤに基づいて識別した携帯電話機６０ａ，６０ｂ，６０ｃ，６０ｄに個別のチャネルＩＤを割り当てて送信する。
【００８５】
更に、音声出力装置１０は、携帯電話機６０ａ，６０ｂ，６０ｃ，６０ｄの一から、コンテンツを同時に出力中の他のチャネルを識別するチャネル識別情報の指定と共に音声データの出力指令を受信し、指定したチャネル識別情報に係る音声情報を、操作端末の一に送信する。
【００８６】
したがって、本発明の一実施形態に係る音声出力装置１０は、携帯電話機６０ａ，６０ｂ，６０ｃ，６０ｄから受信した情報に基づいて受信したコンテンツに含まれる音声情報を、利用者がコンテンツに係る画面に対応する携帯電話機６０ａ，６０ｂ，６０ｃ，６０ｄでそれぞれ個別に視聴することができる。更に、音声情報の出力指令を受信することにより指令した操作端末（例えば、携帯電話機６０ｂ）で、指令した携帯電話機６０ｂとは別の他の画面に対応する音声（例えば、携帯電話機６０ｃに対応する画面の音声）を聴くこともできる。その結果、個別に視聴しながらも、必要に応じて画面と音声情報とを共有することによりコミュニケーションを深めることができる。
【００８７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８８】
【図１】本発明の特徴を示す図である。
【図２】本発明の一実施形態に係る音声出力装置１０の機能を構成する構成部と、構成部が処理するデータとの関連を示す図である。
【図３】本発明の一実施形態に係る音声出力装置１０の動作環境を示す図である。
【図４】本発明の一実施形態に係る音声出力装置１０のハードウェア構成の一例を示す図である。
【図５】本発明の一実施形態係る携帯電話機６０ａのハードウェア構成の一例を示す図である。
【図６】本発明の一実施形態に係るＵＲＬテーブルを示す図である。
【図７】本発明の一実施形態に係る出力チャネルテーブルを示す図である。
【図８】本発明の一実施形態に係る音声出力装置１０の受信データ処理を示すフローチャートである。
【図９】本発明の一実施形態に係る音声出力装置１０のコンテンツ処理を示すフローチャートである。
【図１０】本発明の一実施形態に係る音声出力装置１０の出力制御処理を示すフローチャートである。
【図１１】本発明の一実施形態に係る音声出力装置１０による音声の出力と、画面の出力との例を示す図である。
【図１２】本発明の一実施形態に係る音声出力装置１０による音声の出力と、画面の出力との別の例を示す図である。
【符号の説明】
【００８９】
１０  音声出力装置
１１  操作受信部
１２  コンテンツ受信部
１３  画面出力部
１４  音声送信部
１５  音声出力先変更部
２０  ディスプレイ
６０ａ，６０ｂ，６０ｃ，６０  携帯電話機
７０  コンピュータネットワーク
【図１】
0005073591.tif 000002
【図２】
0005073591.tif 000003
【図３】
0005073591.tif 000004
【図４】
0005073591.tif 000005
【図５】
0005073591.tif 000006
【図６】
0005073591.tif 000007
【図７】
0005073591.tif 000008
【図８】
0005073591.tif 000009
【図９】
0005073591.tif 000010
【図１０】
0005073591.tif 000011
【図１１】
0005073591.tif 000012
【図１２】
0005073591.tif 000013